(57)【特許請求の範囲】
【請求項１】
コンピュータシステムであって、
‐  少なくとも１つのケーシング壁を有するケーシングであり、前記少なくとも１つのケーシング壁は、第１の高さプロファイルを有する第１のアドオンボードを取り付けるための第１の凹部を含む、ケーシングと、
‐  前記ケーシングに配置され、前記少なくとも１つのケーシング壁に対し垂直に延在するシステムボードであり、前記少なくとも１つのケーシング壁における前記第１の凹部は、前記システムボードに対し垂直に延在する、システムボードと、
‐  前記第１の凹部に固定され、第２の高さプロファイルを有する第２のアドオンボードを当該コンピュータシステムにおいて前記システムボードに対し平行に固定するように適合された保持装置と、
を含み、
前記少なくとも１つのケーシング壁は、前記第１の凹部に隣接し、かつ前記少なくとも１つのケーシング壁に対し平行に延在する前記保持装置の一部が支持され得る開口を含み、前記開口は、当該コンピュータシステムが前記第１の凹部に前記第１の高さプロファイルを有する前記第１のアドオンボードを取り付けるように適合される場合、ブラインドで覆われるように適合される、コンピュータシステム。
【請求項２】
前記第１のアドオンボード及び前記第２のアドオンボードはＰＣＩボード及び／又はＰＣＩｅボードである、請求項１に記載のコンピュータシステム。
【請求項３】
‐  前記第１のアドオンボードはロープロファイルボードであり、
‐  前記第２のアドオンボードはフルハイトボードであり、
‐  前記第１の凹部はロープロファイルスロットである、
請求項２に記載のコンピュータシステム。
【請求項４】
前記システムボードに対し垂直な、前記保持装置の高さは、前記第１のアドオンボードの高さに対応し、前記保持装置は、前記第２のアドオンボードのために設けられ、かつ前記システムボードから離れた前記保持装置の端部に配置される固定部を含む、請求項１乃至３のうちいずれか１項に記載のコンピュータシステム。
【請求項５】
前記少なくとも１つのケーシング壁は、前記保持装置が前記第１の凹部に固定されているとき第１の高さプロファイルを有する第１のアドオンボードを受けるように適合される少なくとも１つの第２の凹部を含む、請求項１乃至４のうちいずれか１項に記載のコンピュータシステム。
【請求項６】
前記保持装置は、前記システムボード及び前記少なくとも１つのケーシング壁に対し垂直に延在し、かつ前記システムボードと前記第２のアドオンボードとの間の電気的接続を確立するように適合される接続部を含む、請求項１乃至５のうちいずれか１項に記載のコンピュータシステム。
【請求項７】
前記少なくとも１つのケーシング壁は、前記第１の凹部に隣接し、かつ前記少なくとも１つのケーシング壁に対し平行に延在する前記保持装置の一部が支持され得る開口を開けるように適合される離脱部を含む、請求項１乃至６のうちいずれか１項に記載のコンピュータシステム。
【請求項８】
少なくとも１つのケーシング壁を有するケーシングを含むコンピュータシステムにおけるアドオンボードの組み立て方法であって、前記少なくとも１つのケーシング壁は、第１の高さプロファイルを有する第１のアドオンボードを取り付けるための第１の凹部を含み、
‐  前記少なくとも１つのケーシング壁から前記第１の凹部に隣接する取り外し可能部を除去して、前記少なくとも１つの第１のケーシング壁に開口を形成するステップと、
‐  前記第１の凹部に第２のアドオンボードのための保持装置を固定するステップであり、それにより、前記少なくとも１つのケーシング壁に対し平行に延在する前記保持装置の一部が前記開口で支持される、ステップと、
‐  第２の高さプロファイルを有する前記第２のアドオンボードを、前記コンピュータシステムの前記ケーシングに配置されたシステムボードに対し平行であるように、前記保持装置に固定するステップと、
を含む組み立て方法。
【発明の詳細な説明】
【技術分野】
【０００１】
本発明は、少なくとも１つのケーシング壁を有するケーシングを含み、少なくとも１つのケーシング壁はアドオンボードを取り付けるための凹部を有するコンピュータシステムに関する。さらに、本発明は、保持装置、及びコンピュータシステムにおけるアドオンボードの組み立て方法に関する。
【背景技術】
【０００２】
コンピュータケーシングは、ケーシング壁に凹部を通常有し、そこでは、ＰＣＩ（ペリフェラルコンポーネントインターコネクト）又はＰＣＩｅ（ペリフェラルコンポーネントインターコネクトエクスプレス）カードなどのアドオンボードをコンピュータシステムに設置することができる。このようなＰＣＩ又はＰＣＩｅカードは、例えば、ネットワークカード又はグラフィックスカードである。このタイプのアドオンボードは、異なるフォームファクタを有する。例えば、スロットフレームが高さ７９．２ｍｍのいわゆるロープロファイルボードがある。また、例えば、スロットフレームが１２０ｍｍの高さを有するいわゆるフルハイトボードもある。アドオンボードがロープロファイルフォームファクタに従って設置されるか、又はフルハイトフォームファクタに従って設置されるかに依存して、ケーシングは、アドオンボードを固定するための異なる凹部を有さなければならない。これは、要件に従って異なるケーシングが製造される必要があるため、高い製造費を結果としてもたらす。さらに、これは、異なるフォームファクタを有するアドオンボードをレトロフィットするとき、低い柔軟性につながる。
【発明の概要】
【０００３】
本発明の課題は、上述の問題を解決又は低減することである。
【０００４】
第１の態様によれば、上述の課題は、少なくとも１つのケーシング壁を有するケーシングを含むコンピュータシステムにより解決される。少なくとも１つのケーシング壁は、第１の高さプロファイルを有する第１のアドオンボードを取り付けるための第１の凹部を含む。コンピュータシステムは、ケーシング内に配置され、かつ少なくとも１つのケーシング壁に対し垂直に延在するシステムボードをさらに含む。少なくとも１つのケーシング壁における第１の凹部は、システムボードに対し垂直に延在する。コンピュータシステムはまた、第１の凹部に固定され、かつ第２の高さプロファイルを有する第２のアドオンボードをコンピュータシステムにおいてシステムボードに対し平行に固定するように適合された保持装置を含む。
【０００５】
ここで、異なる高さプロファイルを有するアドオンボードをケーシング壁の第１の凹部に固定できることは有利である。詳細には、ロープロファイルボード及びフルハイトボードを、ロープロファイルボードのために設けられた凹部に固定することができる。コンピュータシステムのユーザの要件に依存して、対応するアドオンボードを、別様に設計されたケーシングを製造する必要なしに設置することができる。
【０００６】
少なくとも１つの構成において、システムボードに対し垂直な、保持装置の高さは、第１のアドオンボードの高さに対応する。さらに、保持装置は、第２のアドオンボードのために設けられ、かつシステムボードから離れた（facing  away  from）保持装置の端部に配置される固定部を含む。
【０００７】
１つの利点は、コンピュータシステムにおいてシステムボードに対し平行に固定できる第２のアドオンボードが、システムボードから可能な限り遠く離れて取り付けられることである。これは、システムボード、第２のアドオンボード、及びコンピュータシステムに取り付けられた他のコンポーネントの良好な冷却を確保する。これはまた、コンピュータシステムに第２のアドオンボードが設置される場合でも、システムボードにコンポーネントを取り付けるための可能な限り大きい空間を確保する。
【０００８】
少なくとも１つの構成において、少なくとも１つのケーシング壁は、保持装置が第１の凹部に固定されているとき第１の高さプロファイルを有する第１のアドオンボードを受けるように適合される少なくとも１つの第２の凹部を含む。
【０００９】
ゆえに、異なるフォームファクタを有する異なるアドオンボードをコンピュータシステムに設置することができる。詳細には、例えば、ロープロファイル規格に従うアドオンボードとフルハイト規格に従うアドオンボードを設置することができる。
【００１０】
少なくとも１つの構成において、少なくとも１つのケーシング壁は、第１の凹部に隣接し、かつ少なくとも１つのケーシング壁に対し平行に延在する保持装置の一部が支持され得る開口を開けるように適合される離脱部を含む。
【００１１】
ここでの利点は、このような離脱部を有するケーシングが製造するのに比較的容易かつ安価なことである。
【００１２】
少なくとも１つの構成において、少なくとも１つのケーシング壁は、第１の凹部に隣接し、かつ少なくとも１つのケーシング壁に対し平行に延在する保持装置の一部が支持され得る開口を含む。開口は、コンピュータシステムが第１の凹部に第１の高さプロファイルを有する第１のアドオンボードを取り付けるように適合される場合、ブラインドで覆われるように適合される。
【００１３】
例えば、ねじ留め又はクリップマウントのシートメタル部品又はプラスチック部品がブラインドに適する。このようなブラインドの利点の１つは、コンピュータシステムに第１の高さプロファイルを有するアドオンボードが取り付けられているか又は第２の高さプロファイルを有するアドオンボードが取り付けられているかに依存して、それを柔軟に除去及び再取り付けできることである。
【００１４】
第２の態様によれば、上述の課題は保持装置により解決され、当該保持装置は、第１の高さプロファイルを有する第１のアドオンボードのための凹部であり、コンピュータシステムのケーシングのケーシング壁に設けられる、凹部に固定されるよう、かつ、第２の高さプロファイルを有する第２のアドオンボードをコンピュータシステムにおいてコンピュータシステムのケーシングに配置されたシステムボードに対し平行に固定するように適合される。
【００１５】
第３の態様によれば、上述の課題は、少なくとも１つのケーシング壁を有するケーシングを含むコンピュータシステムにおけるアドオンボードの組み立て方法により解決され、少なくとも１つのケーシング壁は、第１の高さプロファイルを有する第１のアドオンボードを取り付けるための第１の凹部を含む。当該組み立て方法は、
‐  少なくとも１つのケーシング壁から第１の凹部に隣接する取り外し可能部を除去して、少なくとも１つの第１のケーシング壁に開口を形成するステップと、
‐  第１の凹部に第２のアドオンボードのための保持装置を固定するステップであり、それにより、少なくとも１つのケーシング壁に対し平行に延在する保持装置の一部が開口で支持される、ステップと、
‐  第２の高さプロファイルを有する第２のアドオンボードを、コンピュータシステムのケーシングに配置されたシステムボードに対し平行であるように、保持装置に固定するステップと、を含む。
【００１６】
第２及び第３の態様の利点は、第１の態様の利点に実質的に対応する。少なくとも１つのケーシング壁の取り外し可能部は、例えば、少なくとも１つのケーシング壁から取り出される離脱部、又は、例えばシートメタル又はプラスチックで作成され、かつ例えばねじ又はクリップ接続を用いて少なくとも１つのケーシング壁が固定され得る取り外し可能ブラインドでもよい。
【００１７】
さらに有利な構成が、別記の特許請求の範囲及び以下の図面の説明に開示される。図面において、本質的に同じ機能を有する要素について同じ参照符号が使用されるが、これらの要素はすべての詳細において同一である必要はない。
【図面の簡単な説明】
【００１８】
【図１】第１のシステム構成における、本発明の一例示的な実施形態によるコンピュータシステムの斜視表現を示す。
【図２】第２のシステム構成における、図１に示される例示的な実施形態によるコンピュータシステムの斜視表現を示す。
【図３】図２による第２のシステム構成によるコンピュータシステムのセクションの部分分解表現を示す。
【図４】図２による第２のシステム構成によるコンピュータシステムのセクションの横断面を示す。
【図５】本発明の一例示的な実施形態によるコンピュータシステムの第１のケーシング壁のセクションを示す。
【発明を実施するための形態】
【００１９】
図１及び図２は各々、本発明の一例示的な実施形態によるコンピュータシステム１の斜視表現を示す。図１は、第１のシステム構成Ａにおけるコンピュータシステム１を示し、図２は、第２のシステム構成Ｂにおけるコンピュータシステム１を示す。図１による第１のシステム構成Ａは、２つのロープロファイル（low-profile）ボード２がコンピュータシステム１に設置されることを特徴とする。図２による第２のシステム構成Ｂは、１つのロープロファイルボード２と１つのフルハイト（full-height）ボード３がコンピュータシステム１に設置されることを特徴とする。
【００２０】
図１及び図２によるコンピュータシステム１は、各々の場合においてケーシング４を備える。この例示的な実施形態におけるケーシング４は、スモールフォームファクタ（ＳＦＦ）を有するケーシングであり、これは、約８リットルのボリュームを有する。代替的に、本明細書に記載の発明は、当然ながら、任意のコンピュータケーシングにも使用できる。ケーシング４は、ケーシング底部５を有する。ケーシング底部５の対向側端において、第１のケーシング壁６及び第２のケーシング壁７がケーシング底部５から垂直に突出する。コンピュータシステム１は、ケーシング蓋（ここでは図示せず）で閉じることができる。
【００２１】
ケーシング底部５と平行に、システムボード８がコンピュータシステム１に設置される。システムボード８は、ケーシング底部５のエリアに位置し、ねじ（ここでは図示せず）を用いてケーシング底部に固定される。システムボード８は、メモリモジュール９、プロセッサ１０、及びヒートシンク１１などの種々のコンポーネントを備える。
【００２２】
第１の凹部１２及び第２の凹部１３が第１のケーシング壁６に設けられる。第１及び第２の凹部１２、１３は各々、システムボード８に対し垂直であるように、ケーシング底部５から離れた第１のケーシング壁６の端部からスリット形状で延在する。
【００２３】
図１による第１のシステム構成Ａによれば、第１及び第２の凹部１２、１３の各々にロープロファイルボード２が固定される。ロープロファイルボード２は各々、ロープロファイルボード２を第１及び第２の凹部１２、１３にそれぞれ固定するために使用されるスロットフレーム１４を有する。ロープロファイルボード２は、システムボード８に対し垂直に配置され、システムボード８に合わせられる。ロープロファイルボード２は、この例示的な実施形態において異なる長さを有する。代替的に、当然ながら、等しい長さのロープロファイルボード２も使用できる。
【００２４】
図２に示す第２のシステム構成Ｂによれば、ロープロファイルボード２は、第２の凹部１３にのみ固定される。第２のシステム構成Ｂによれば、フルハイトボード３のための保持装置１５が第１の凹部１２に取り付けられる。コンピュータシステム１においてフルハイトボード３のための十分な空間を設けるために、ヒートシンク１１の冷却フィンが対応する凹部を有する。
【００２５】
保持装置１５は固定部１６を有し、該固定部１６を用いて、保持装置１５は第１の凹部１２に固定される。保持装置１５はボードマウント１７をさらに有し、該ボードマウント１７に対し、フルハイトボード３は、フルハイトボード３のスロットフレーム１８を用いて保持装置１５に取り付けられる。ボードマウント１７は、システムボード８から離れたフルハイトボード３の片側の上に三角形に設計され、これは、ボード３を強化及び保護する役割を果たす。
【００２６】
ボードマウント１７は、第１のケーシング壁６の開口１９に固定される。開口１９は、第１の凹部１２に隣接し、ケーシング底部５と対向している第１のケーシング壁６の端部で開いている。ボードマウント１７が支持される開口１９は、システムボード８に対し平行に、及び第１及び第２の凹部１２、１３に対し垂直に延在する。したがって、フルハイトボード３のスロットフレーム１８と、ゆえにフルハイトボード自体も、コンピュータシステム１においてシステムボード８と平行であるように固定される。
【００２７】
開口１９は、図１による第１のシステム構成Ａにおいて、第１のケーシング壁６の取り外し可能部２０により覆われる。取り外し可能部２０は、ねじ（ここでは図示せず）で残りの第１のケーシング壁６に取り付けられる。代替的に、取り外し可能部２０は、クリップ接続を使用して残りの第１のケーシング壁６に固定されてもよい。ゆえに、取り外し可能部２０は、残りの第１のケーシング壁６から取り除かれ、それに再度取り付けられ得る。これは、第１のシステム構成Ａと第２のシステム構成Ｂとの間の柔軟な変更を可能にする。取り外し可能部２０は、例えば、シートメタルで作成されたブラインドを表し、電磁放射に対して開口１９を封じる。代替的に、ブラインドは、プラスチックで作成されてもよい。これに関する別の構成が、図５を参照して説明される。第１のシステム構成Ａにおいて、取り外し可能部２０は、開口１９のエリアにおいてケーシング４の内部を入り込むほこりから保護し、ケーシング４を電磁放射から遮蔽する。
【００２８】
保持装置１５に関するさらなる詳細が、図３及び図４を参照して説明される。
【００２９】
図３は、第２のシステム構成Ｂにおける図１及び図２による例示的な実施形態によるコンピュータシステム１のセクションの部分分解表現を示す。図３のセクションは、ケーシング底部５と、第２の凹部１３、及び保持装置１５を含む第１の凹部１２を含む第１のケーシング壁６の一部とを示す。
【００３０】
保持装置１５が第１の凹部１２に固定されるための固定部１６は、本質的に、ロープロファイルボード２のスロットフレームの下端に類似し、ねじ（ここでは図示せず）を用いて保持装置１５のボードマウント１７に固定される。代替的に、固定部１６は、ねじを用いずにボードマウント１７に固定され、例えば、差し込み接続を介してか又は支持接触のみを介してゆるく接続される。
【００３１】
固定部１６は、とりわけ、保持装置１５が第１の凹部１２に固定されているとき、電磁放射に対して第１の凹部１２を封じる働きをする。さらに、固定部１６にＩ／Ｏインターフェース（入力／出力インターフェース）を、例えば、データインターフェースのソケットを配置することが可能である。このＩ／Ｏインターフェースは、フルハイトボード３に接続されたＩ／Ｏインターフェースでもよく、あるいはコンピュータシステム１の任意の他のＩ／Ｏインターフェースでもよい。
【００３２】
図３は、保持装置１５の接続部２１をさらに示す。この接続部２１は、システムボード８の方を向く方向においてフルハイトボード３に対し垂直に延在する。設置されるとき、接続部２１は、図２に示すようにロープロファイルボード２に対し平行である。接続部２１は、フルハイトボード３のいわゆるライザーカードを表す。
【００３３】
システムボード８に面する接続部２１の端部において、接続部２１は、ＰＣＩ又はＰＣＩｅ規格に従うコネクタ２２を有し、それにより、接続部２１は、コネクタ２２で、システムボード８上の専用の嵌合コネクタに差し込まれ得る。これは、図４を参照して以下でより詳細に説明される。
【００３４】
図４は、第２のシステム構成Ｂにおける、図１及び図２による例示的な実施形態によるコンピュータシステム１を通る断面を示す。図５は、図２に示す断面線Ｓに沿った第１のケーシング壁６に対し平行な断平面を示す。
【００３５】
図４による断面図には、ケーシング底部５及びシステムボード８の一部が示される。また、図５は、ロープロファイルボード２、及びボードマウント１７に固定されたフルハイトボード３をさらに示す。さらに、システムボード８に対し垂直な接続部２１が示される。図４は、接続部２１の左にマウントプレート２９をさらに示し、これは、保持装置１５の機械的固定の一部である。
【００３６】
図４は、接続部２１のコネクタ２２をさらに示し、これは、システムボード８上の嵌合コネクタ２３に差し込まれる。第２のシステム構成Ｂにおいてコネクタ２２を受ける嵌合コネクタ２３は、第１のシステム構成Ａにおいて、第１の凹部に固定されるロープロファイルボードの対応するコネクタを受ける。
【００３７】
フルハイトボード３に面する接続部２１の端部において、それは、ＰＣＩ又はＰＣＩｅ規格に従う嵌合コネクタ２５を有する。フルハイトボード３の対応するコネクタ２４は、接続部２１のこの嵌合コネクタ２５に差し込まれる。このように、接続部２１を介してシステムボード８とフルハイトボード３との間に、供給電圧、信号等の電気的接続が確立される。
【００３８】
図５は、開口１９のエリアにおける第１のケーシング壁６のセクションを第１の凹部１２の一部と共に示す。図５は、コンピュータシステム１のケーシング４の内部から見た第１のケーシング壁６の図を示す。図５は、取り外し可能部２０及び開口１９に対する一代替構成を示す。図５に示される状態は、第１のシステム構成Ａに対応し、これにより、ロープロファイルボード２は第１の凹部１２に固定できる。
【００３９】
この例示的な実施形態において、開口１９は、離脱部（break-off  part）２６により覆われる。離脱部２６は、第１のケーシング壁６の端ゾーンにラグ（lug）２７を有し、これに、ロープロファイルボード２のスロットフレーム１４を固定することができる。ケーシング４において第１の凹部１２にフルハイトボード３が設置されるべき場合、離脱部２６はケーシング壁６から取り出すことができる。この目的のために、ケーシング壁６は、所定の取り出し線２８を有し、該取り出し線２８に沿って、離脱部２６を第１のケーシング壁６から切り離すことができる。
【００４０】
さらに、図５は、開口１９の上端に沿って取り付けられた突起２８を示す。この突起２８は、ケーシング４の内部を向き、保持装置１５の支持体を表す。この突起２８は、図１〜図４による例示的な実施形態と同様の方法で使用できる。
【００４１】
第１及び第２の凹部１２、１３を各々有する図面に示された例示的な実施形態は、例示としてのみ理解されるべきである。代替的に、ケーシング４又は第１のケーシング壁６は、第１の凹部１２のみ、又は第１及び第２の凹部１２、１３と同様の更なる凹部を含んでもよい。
【符号の説明】
【００４２】
１  コンピュータシステム
２  ロープロファイルボード
３  フルハイトボード
４  ケーシング
５  ケーシング底部
６  第１のケーシング壁
７  第２のケーシング壁
８  システムボード
９  メモリモジュール
１０  プロセッサ
１１  ヒートシンク
１２  第１の凹部
１３  第２の凹部
１４  ロープロファイルボードのスロットフレーム
１５  保持装置
１６  固定部
１７  ボードマウント
１８  フルハイトボードのスロットフレーム
１９  開口
２０  取り外し可能部
２１  接続部
２２  コネクタ
２３  嵌合コネクタ
２４  コネクタ
２５  嵌合コネクタ
２６  離脱部
２７  ラグ
２８  突起
２９  マウントプレート
Ａ  第１のシステム構成
Ｂ  第２のシステム構成
Ｓ  断面線
【図１】
0006908869.tif 000002
【図２】
0006908869.tif 000003
【図３】
0006908869.tif 000004
【図４】
0006908869.tif 000005
【図５】
0006908869.tif 000006